(57)【要約】【課題】  収納箱に収納された食品包装用のラップフィルムの取扱いを容易にすることのできる内装部材及び同部材を備えたラップフィルム製品を提供する。【解決手段】  内装部材１０を、本体部１１と摘み片１３で構成する。本体部１１は、巻回ラップフィルム２０の上部と前部と下部を囲むべく上片部１１ａ、前片部１１ｂおよび下片部１１ｃを有する断面略コ字状で、後面に、巻回ラップフィルム２０が通過する後面開放部１１ｄを有する。また、上片部１１ａの後端部に、断面略円弧状でラップフィルム２０の通過を円滑にするガイド部１２を設ける。摘み片１３は、本体部１１の前側上端部から回動自在に突設され、収納箱３０の箱本体３１の前壁３１ａと蓋体３２の垂直蓋部３２ａとの間に位置し、おもて面１３ａにラップフィルム２０の前端部２０ａが上載されたラップフィルム用包装材及び同部材を備えたラップフィルム製品である。【選択図】      図２
0003200235.tif 000002
【実用新案登録請求の範囲】
【請求項１】
前壁（３１ａ）を有する箱本体（３１）に，前記前壁の前面上部を覆うと共に，下端部に切断刃（３３）を設けた垂直蓋部（３２ａ）を有する蓋体（３２）を一体成形した収納箱（３０）に収納された食品包装用の巻回ラップフィルム（２０）の取扱いを容易にすべく，前記収納箱と前記巻回ラップフィルムとの間に着脱自在に設けられる内装部材であって、
前記巻回ラップフィルムの上部と前部と下部を囲むべく上片部（１１ａ），前片部（１１ｂ）および下片部（１１ｃ）を有する断面略コ字状で，後面に，前記巻回ラップフィルムが通過する後面開放部（１１ｄ）を有すると共に，前記上片部の後端部に断面略円弧状でラップフィルムの通過を円滑にするガイド部（１２）を有する本体部（１１）と、
前記本体部の前側上端部から回動自在に突設され，前記箱本体の前壁と前記蓋体の垂直蓋部との間に位置し，おもて面（１３ａ）に前記ラップフィルムの前端部（２０ａ）が上載される摘み片（１３）と、を備えることを特徴とする巻回ラップフィルム用内装部材。
【請求項２】
食品包装用の巻回ラップフィルム（２０）と、
前壁（３１ａ）を有する箱本体（３１）に，前記前壁の前面上部を覆うと共に，下端部に切断刃（３３）を設けた垂直蓋部（３２ａ）を有する蓋体（３２）を一体成形した収納箱（３０）と、
前記収納箱に収納された巻回ラップフィルムの取扱いを容易にすべく，前記収納箱と前記巻回ラップフィルムとの間に着脱自在に設けられる内装部材（１０）と、を備え、
前記内装部材を，前記巻回ラップフィルムの上部と前部と下部を囲むべく上片部（１１ａ），前片部（１１ｂ）および下片部（１１ｃ）を有する断面略コ字状で，後面に，前記巻回ラップフィルムが通過する後面開放部（１１ｄ）を有すると共に，前記上片部の後端部に断面略円弧状で前記ラップフィルムの通過を円滑にするガイド部（１２）を有する本体部（１１）と、
前記本体部の前側上端部から回動自在に突設され，前記箱本体の前壁と前記蓋体の垂直蓋部との間に位置し，おもて面（１３ａ）に前記ラップフィルムの前端部（２０ａ）が上載される摘み片（１３）と、巻回ラップフィルム用内装部材を備えたラップフィルム製品。
【考案の詳細な説明】
【技術分野】
【０００１】
本考案は、食品包装用の巻回ラップフィルムを収納した収納箱に着脱自在に設けられ、巻回ラップフィルムの取扱いを容易にすることのできる内装部材および当該内装部材を設けたラップフィルム製品に関するものである。
【背景技術】
【０００２】
従来から、食品包装用の巻回ラップフィルムが広く使用されている（例えば、特許文献１参照）。この巻回ラップフィルムは、一般に、紙製で切断刃を有する収納箱に収納されており、その前端部を指で摘んで所定の長さを引き出した後、切断刃で切断して使用している。
【先行技術文献】
【特許文献】
【０００３】
【特許文献１】実開平５−１３９２７号公報
【考案の概要】
【考案が解決しようとする課題】
【０００４】
こうした食品包装用の巻回ラップフィルムは透明で極めて薄いため、その取扱いが厄介であるといった問題がある。例えば、一度、引き出して使用した後のラップフィルムが巻き戻ってしまい、その前端部が巻回ラップフィルムの本体部分（円筒状部分）に付着してしまうことが多々ある。その場合、前端部を指で摘んで引き出す必要があるが、その前端部を視認することが困難であるため引き出す作業に多くの時間を要してしまう。
【０００５】
このような巻き戻りを防止するために最近では収納箱の前面に糊面部を設け、この糊面部に引き出したラップフィルムの前端部を貼り付けておくといった手段も創案されている。
【０００６】
しかし、糊面部の接着力は時間の経過と共に低下するため、その効果には自ずと限界がある。
【０００７】
本考案はこうした問題に鑑み創案されたもので、収納箱に収納された食品包装用の巻回ラップフィルムの取扱いを容易にすることのできる内装部材および当該内装部材を設けたラップフィルム製品を提供することを課題とする。
【課題を解決するための手段】
【０００８】
図１乃至図６を参照して説明する。請求項１に記載の巻回ラップフィルム用内装部材１０は、前壁３１ａを有する箱本体３１に、前記前壁３１ａの前面上部を覆うと共に、下端部に切断刃３３を設けた垂直蓋部３２ａを有する蓋体３２を一体成形した収納箱３０に収納された食品包装用の巻回ラップフィルム２０の取扱いを容易にすべく、前記収納箱３０と前記巻回ラップフィルム２０との間に着脱自在に設けられるものである。
【０００９】
この内装部材１０は、前記巻回ラップフィルム２０の上部と前部と下部を囲むべく上片部１１ａ、前片部１１ｂおよび下片部１１ｃを有する断面略コ字状で、後面に、前記巻回ラップフィルム２０が通過する後面開放部１１ｄを有すると共に、前記上片部１１ａの後端部に断面略円弧状で前記ラップフィルム２０の通過を円滑にするガイド部１２を有する本体部１１と、前記本体部１１の前側上端部から回動自在に突設され、前記箱本体３１の前壁３１ａと前記蓋体３２の垂直蓋部３２ａとの間に位置し、おもて面１３ａに前記ラップフィルム２０の前端部２０ａが上載される摘み片１３と、を備える。
【００１０】
請求項２に記載のラップフィルム製品１は、食品包装用の巻回ラップフィルム２０と、前壁３１ａを有する箱本体３１に、前記前壁３１ａの前面上部を覆うと共に、下端部に切断刃３３を設けた垂直蓋部３２ａを有する蓋体３２を一体成形した収納箱３０と、前記収納箱３０に収納された巻回ラップフィルム２０の取扱いを容易にすべく、前記収納箱３０と前記巻回ラップフィルム２０との間に着脱自在に設けられる内装部材１０と、を備える。
【００１１】
そして、前記内装部材１０を、前記巻回ラップフィルム２０の上部と前部と下部を囲むべく上片部１１ａ、前片部１１ｂおよび下片部１１ｃを有する断面略コ字状で、後面に、前記巻回ラップフィルム２０が通過する後面開放部１１ｄを有すると共に、前記上片部１１ａの後端部に断面略円弧状で前記ラップフィルム２０の通過を円滑にするガイド部１２を有する本体部１１と、前記本体部１１の上端部から回動自在に前方に突設され、前記箱本体３１の前壁３１ａと前記蓋体３２の垂直蓋部３２ａとの間に位置し、おもて面（上面）１３ａにラップフィルム２０の前端部２０ａが上載される摘み片１３とでラップフィルム製品を構成した。
【考案の効果】
【００１２】
請求項１に記載の巻回ラップフィルム用内装部材１０は、本体部１１を、ガイド部１２を有する上片部１１ａと、前片部１１ｂと、下片部１１ｃとで構成し、その後面に後面開放部１１ｄを形成し、当該本体部１１の前側上端部から摘み片１３を回動自在に突設したので、ラップフィルム２０を、後面開放部１１ｄからガイド部１２の上面、上片部１１ａの上面および摘み片１３のおもて面１３ａを滑らせるように通過させて容易に引き出すことができる。
【００１３】
また、摘み片１３を収納箱３０の前壁３１ａと垂直蓋部３２ａとの間に位置させているので、当該摘み片１３のおもて面１３ａに上載されているラップフィルム２０を垂直蓋部３２ａに設けた切断刃３３に強く押し付けることができる。
【００１４】
すなわち、摘み片１３によって前壁３１ａと垂直蓋部３２ａとの間の隙間をなくすと共に、当該摘み片１３と前壁３１ａとによる二つの部材（従って剛性が高い）によってラップフィルム２０を裏面側から支持するので、ラップフィルム２０を垂直蓋部３２ａに設けた切断刃３３に強く押し付けることができる。その結果、ラップフィルム２０をいわゆる途中切れさせることなく最後まで容易かつ確実に切断することができる。
【００１５】
また、摘み片１３によって前壁３１ａと切断刃３３を設けている垂直蓋部３２ａとの間に隙間を生じさせないので、指が隙間に入って切断刃３３に引っ掛かることがない。従って、安全性にも優れる。
【００１６】
切断後、ラップフィルム２０の前端部２０ａは、当然ながら、摘み片１３のおもて面１３ａに上載された状態となる。この状態からラップフィルム２０を引き出す場合、摘み片１３とそのおもて面１３ａに上載されているラップフィルム２０の前端部２０ａを、親指Ｔと人差し指Ｆとで挟むようにして掴み、そのまま引っ張ることができる。これにより、ラップフィルム２０を極めて容易に引き出すことができる。
【００１７】
なお、摘み片１３は回動自在であるので、引っ張られる方向に自在に回動し、従って、ラップフィルム２０をより容易に引き出すことができる。
【００１８】
請求項２に記載のラップフィルム製品１は、巻回ラップフィルム２０と、切断刃３３を有する収納箱３０と、両者の間に設けられ、摘み片１３が収納箱３０の前壁３１ａと垂直蓋部３２ａとの間に位置する内装部材１０とで構成したので、上述したと同様に、当該内装部材１０のはたらきによって巻回ラップフィルム２０を途中切れさせることなく最後まで容易かつ確実に切断することができる。
【００１９】
また、摘み片１３によって前壁３１ａと垂直蓋部３２ａとの間に隙間を生じさせないので、指が垂直蓋部３２ａに設けた切断刃３３に引っ掛かることがない。従って、安全性にも優れる。さらに、ラップフィルム２０の前端部２０ａを摘み片１３と共に摘んで容易に引き出すことができる。
【図面の簡単な説明】
【００２０】
【図１】本考案に係るラップフィルム製品の実施形態を示す斜視図である。
【図２】図１のＸ−Ｘ線断面図である。
【図３】本考案に係る巻回ラップフィルム用内装部材の実施形態を示す斜視図である。
【図４】図１および図２に示すラップフィルム製品においてラップフィルムを引き出す状態を示す概略側面図である。
【図５】図１および図２に示すラップフィルム製品においてラップフィルムを引き出す状態を示す要部拡大側面図である。
【考案を実施するための形態】
【００２１】
本考案に係る巻回ラップフィルム用内装部材１０の実施形態を、図３に示す。また、当該内装部材１０を取り付けたラップフィルム製品１を、図１および図２に示す。この内装部材１０は、収納箱３０に収納された食品包装用の巻回ラップフィルム２０の取扱いを容易にするためのものである。収納箱３０は、前壁３１ａを有する箱本体３１に、当該前壁３１ａの前面上部を覆うと共に、下端部に鋸刃状の切断刃３３を設けた垂直蓋部３２ａを有する蓋体３２を一体成形している。
【００２２】
内装部材１０は、収納箱３０と巻回ラップフィルム２０との間に着脱自在に設けることができるものであり、本体部１１と摘み片１３を備える。なお、当該内装部材１０の成形材料は限定されず、例えば、紙や樹脂などの表面が滑らかな材料で成形することができる。
【００２３】
本体部１１は、巻回ラップフィルム２０の上部と前部と下部を囲む形態であり、上片部１１ａ、前片部１１ｂおよび下片部１１ｃを有する断面略コ字状である。また、その後面には、巻回ラップフィルム２０を通過させる後面開放部１１ｄを形成している。さらに、上片部１１ａの後端部には、ラップフィルム２０の通過を容易にするための断面略円弧状のガイド部１２を設けている。ガイド部１２および上片部１１ａの上面は円滑面としている。
【００２４】
摘み片１３は、本体部１１の前側上端部から突設され、その基端部を軸として上下方向に回動自在である。この摘み片１３は箱本体３１の前壁３１ａと蓋体３２の垂直蓋部３２ａとの間に配置され、そのおもて面１３ａにはラップフィルム２０の前端部２０ａが上載される。この摘み片１３のおもて面１３ａも円滑面である。
【００２５】
上記した内装部材１０を取り付けた本考案に係るラップフィルム製品１は、図１および図２に示すように、内装部材１０の他に、食品包装用の巻回ラップフィルム２０と収納箱３０を備える。
【００２６】
巻回ラップフィルム２０は紙製で円筒状の芯材２１に、透明で２０〜４０ｍの長さを持つラップフィルムを巻回して構成される。
【００２７】
収納箱３０は、箱本体３１と蓋体３２を有する。箱本体３１は前壁３１ａ、底壁３１ｂ、後壁３１ｃおよび二つの側壁３１ｄで構成される平面長方形の長尺状である。蓋体３２は、箱本体３１と一体成形されており、箱本体３１の上面を覆う水平蓋部３２ｂと、その前端部２０ａから垂下設され箱本体３１の前壁３１ａの前面上部を覆うと共に、下端部に切断刃３３を設けた垂直蓋部３２ａとで構成される。
【００２８】
内装部材１０は、収納箱３０と同様に紙製であり、前述したように、収納箱３０と巻回ラップフィルム２０との間に着脱自在に設けられる。この内装部材１０の構成は、上述の実施形態で示したものと同一である。内装部材１０の摘み片１３は、収納箱３０の垂直蓋部３２ａよりも僅かに長く設定し、そのおもて面１３ａに切断刃３３が当接するようにしている（図１、図２参照）。こうすることで、ラップフィルム２０を容易に切断することができる。
【００２９】
上記本実施形態に係る巻回ラップフィルム用内装部材１０およびそれを取り付けたラップフィルム製品１の作用について以下、説明する。
【００３０】
巻回ラップフィルム２０を使用するにあたり、本実施形態に係るラップフィルム製品１を開封後（あるいは、市販の製品の場合には、開封後に、本実施形態に係る内装部材１０を装着後）、所定の操作によってラップフィルム２０を引っ張ると、当該ラップフィルム２０は後面開放部１１ｄから、ガイド部１２、上片部１１ａおよび摘み片１３のおもて面１３ａを滑るように通過する。
【００３１】
こうして引き出したラップフィルム２０を、収納箱３０の垂直蓋部３２ａを前壁３１ａ側へ押圧して垂直壁部３２ａの下端部に設けた切断刃３３で切断する。その際、内装部材１０の摘み片１３が収納箱３０の前壁３１ａと垂直蓋部３２ａとの間に位置し、ラップフィルム２０は摘み片１３のおもて面１３ａに位置しているため、当該ラップフィルム２０は垂直蓋部３２ａと摘み片１３および前壁３１ａとの間に強く挟持されて安定姿勢で保持される。
【００３２】
その結果、当該ラップフィルム２０を、垂直蓋部３２ａの下端部に設けられた切断刃３３によって、途中切れすることなく最後まで、容易かつ正確に切断することができる。また、垂直壁部３２ａと摘み片１３および前壁３１ａとの間に隙間が形成されないので、指が隙間に入って切断刃３３に引っ掛かるという事態を防止することができる。従って、安全性にも優れる。
【００３３】
こうして切断されたラップフィルム２０は、その前端部２０ａが垂直蓋部３２ａと摘み片１３の間に位置する（すなわち、摘み片１３のおもて面１３ａに上載される）（図２参照）。この状態からラップフィルム２０をさらに引き出すには、収納箱３０の蓋体３２を開放状態にした後、例えば、二本の指（親指Ｔと人差し指Ｆ）で摘み片１３に上載されているラップフィルム２０の前端部２０ａを当該摘み片１３と一緒に摘んで引っ張る（図４参照）。この際、当該摘み片１３は回動自在であるため摘みやすい姿勢に回動させることができ、従って、より容易に摘むことができる。
【００３４】
ラップフィルム２０と摘み片１３とを摘んで状態で引っ張ると、本体部１１に固定されている摘み片１３は移動しないため、ラップフィルム２０のみを容易に引き出すことができる（図５参照）。その後、前述したと同様に、収納箱３０の蓋体３２を閉じて切断刃３３により切断する。
【００３５】
切断後の状態では前記したようにラップフィルム２０の前端部２０ａは摘み片１３のおもて面１３ａに上載される。また、ラップフィルム２０の上部は上片部１１ａによって覆われている。従って、ラップフィルム２０が不意にやや巻き戻されることがあっても、その前端部２０ａが巻回ラップフィルムの本体部分（筒状部分）にまで巻き込まれて当該本体部分に付着してしまうといった事態を未然に防止することができる。
【００３６】
なお、本実施形態では、内装部材１０にガイド部１２を形成し、また、ガイド部１２と上片部１１ａの上面および摘み片１３のおもて面１３ａ（上面）を円滑面としているので、当該ラップフィルム２０を円滑かつ容易に引き出すことができる。
【００３７】
また、内装部材１０には、巻回ラップフィルム２０の前部と下部を囲む前片部１１ｂと下片部１１ｃを設けているので、当該巻回ラップフィルム２０を収納箱３０に安定姿勢で収納することができる。
【００３８】
本実施形態に係る巻回ラップフィルム用内装部材１０および当該内装部材１０を取り付けたラップフィルム製品１は、以下の作用効果を発揮する。
【００３９】
（イ）内装部材１０に摘み片１３を設け、当該摘み片１３を収納箱３０の前壁３１ａと垂直蓋部３２ａとの間に位置させているので、切断刃３３によって、ラップフィルム２０を途中切れさせることなく最後まで容易かつ正確に切断することができる。
【００４０】
（ロ）内装部材１０の摘み片１３を、収納箱３０の垂直蓋部３２ａよりも僅かに長く設定し、そのおもて面１３ａに切断刃３３が当接するようにしている。これにより、ラップフィルム２０を容易に切断することができる。
（ハ）摘み片１３を設けたことによって、切断刃３３を設けた垂直壁部３２ａと前壁３１ａとの間の隙間をなくすことができる。これにより、指が切断刃３３に引っ掛かることがなく、よって、安全性にも優れる。
【００４１】
（ニ）ラップフィルム２０の前端部２０ａを摘み片１３のおもて面１３ａに上載させるので、当該前端部２０ａを容易に摘んで引き出すことができる。
（ホ）内装部材１０に断面略円弧状のガイド部１２を設けているので、ラップフィルム２０を後面開放部１１ｄから円滑に引き出すことができる。
【００４２】
（へ）内装部材１０のガイド部１２、上片部１１ａおよび摘み片１３のおもて面１３ａを円滑面としているので、ラップフィルム２０を円滑かつ容易に引き出すことができる。
（ト）内装部材１０に前片部１１ｂと下片部１１ｃを設けているので、ラップフィルム２０を収納箱３０に安定姿勢で収納することができる。
【符号の説明】
【００４３】
１        ラップフィルム製品
１０      内装部材
１１      本体部
１１ａ    上片部
１１ｂ    前片部
１１ｃ    下片部
１１ｄ    後面開放部
１２      ガイド部
１３      摘み片
１３ａ    おもて面
２０      ラップフィルム
２０ａ    前端部
２１      芯材
３０      収納箱
３１      箱本体
３１ａ    前壁
３１ｂ    底壁
３１ｃ    後壁
３１ｄ    側壁
３２      蓋体
３２ａ    垂直蓋部
３２ｂ    水平蓋部
３３      切断刃
Ｆ        人差し指
Ｔ        親指
【図１】
0003200235.tif 000003
【図２】
0003200235.tif 000004
【図３】
0003200235.tif 000005
【図４】
0003200235.tif 000006
【図５】
0003200235.tif 000007